(57)【要約】【課題】  印刷カウンタの取得を行なう際に、基本カウンタ以外のカウンタ情報（拡張カウンタ）を取得するために、外部ファイルでカウンタ種を指定する場合以下の課題がある。  外部ファイルの指定カウンタ領域をある程度確保した場合、外部ファイルを変更すると以前取得を行なったカウンタ種の情報が不明になる。  任意の拡張カウンタ種が指定される可能性があり、そのカウンタ情報を表示するためのユーザインタフェースをあらかじめ用意するのは困難である。【解決手段】  外部ファイルによって指定された拡張カウンタに関しては、カウンタ種別情報とカウンタ情報を対で保存する。外部ファイルによって指定された拡張カウンタはユーザインタフェース上に表示せず、ファイルにのみ出力を行なう。【選択図】  図１４
2010004270.tif 000002
【特許請求の範囲】
【請求項１】
ネットワーク上に接続されている印刷装置から、印刷枚数のカウンタ情報を取得する印刷装置管理方法において、あらかじめ定義された基本カウンタのカウンタ情報を取得する工程と、基本カウンタ以外の拡張カウンタの情報を取得する工程と、基本カウンタと拡張カウンタはそれぞれ異なる格納領域に格納する工程と、取得したカウンタ情報の表示を行なう工程と、取得したカウンタ情報のファイルへの出力を行なう工程とを持つことを特徴とする印刷装置管理方法。
【請求項２】
前記基本カウンタのカウンタ情報を取得する工程は、ユーザインタフェースによって列挙されたカウンタ種から選択する工程を持つことを特徴とする請求項１に記載の印刷装置管理方法。
【請求項３】
前記基本カウンタ以外の拡張カウンタの情報を取得する工程は、拡張カウンタの取得情報を定義する外部ファイルを読み込むことで拡張カウンタの情報取得を行なう工程を持つことを特徴とする請求項１に記載の印刷装置管理方法。
【請求項４】
前記基本カウンタと拡張カウンタはそれぞれ異なる格納領域に格納する工程は、基本カウンタはカウンタ値の情報のみを基本カウンタ格納領域に格納する工程を持つことを特徴とする請求項１に記載の印刷装置管理方法。
【請求項５】
前記基本カウンタと拡張カウンタはそれぞれ異なる格納領域に格納する工程は、拡張カウンタはカウンタの種別情報とカウンタ値の情報を拡張カウンタ格納領域に格納する工程を持つことを特徴とする請求項１に記載の印刷装置管理方法。
【請求項６】
前記取得したカウンタ情報の表示を行なう工程は、印刷出力装置と基本カウンタの情報を表示する工程を持つことを特徴とする請求項１に記載の印刷装置管理方法。
【請求項７】
前記取得したカウンタ情報のファイルへの出力工程は、印刷出力装置と基本カウンタおよび拡張カウンタの情報をファイルに出力する工程を持つことを特徴とする請求項１に記載の印刷装置管理方法。
【請求項８】
ネットワーク上に接続されている印刷装置から、印刷枚数のカウンタ情報を取得する印刷装置管理装置において、あらかじめ定義された基本カウンタのカウンタ情報を取得する手段と、基本カウンタ以外の拡張カウンタの情報を取得する手段と、基本カウンタと拡張カウンタはそれぞれ異なる格納領域に格納する手段と、取得したカウンタ情報の表示を行なう手段と、取得したカウンタ情報のファイルへの出力を行なう手段とを持つことを特徴とする印刷装置管理装置。
【請求項９】
前記基本カウンタのカウンタ情報を取得する手段は、ユーザインタフェースによって列挙されたカウンタ種から選択する手段を持つことを特徴とする請求項８に記載の印刷装置管理装置。
【請求項１０】
前記基本カウンタ以外の拡張カウンタの情報を取得する手段は、拡張カウンタの取得情報を定義する外部ファイルを読み込むことで拡張カウンタの情報取得を行なう手段を持つことを特徴とする請求項８に記載の印刷装置管理装置。
【請求項１１】
前記基本カウンタと拡張カウンタはそれぞれ異なる格納領域に格納する手段は、基本カウンタはカウンタ値の情報のみを基本カウンタ格納領域に格納する手段を持つことを特徴とする請求項８に記載の印刷装置管理装置。
【請求項１２】
前記基本カウンタと拡張カウンタはそれぞれ異なる格納領域に格納する手段は、拡張カウンタはカウンタの種別情報とカウンタ値の情報を拡張カウンタ格納領域に格納する手段を持つことを特徴とする請求項８に記載の印刷装置管理装置。
【請求項１３】
前記取得したカウンタ情報の表示を行なう手段は、印刷出力装置と基本カウンタの情報を表示する手段を持つことを特徴とする請求項８に記載の印刷装置管理装置。
【請求項１４】
前記取得したカウンタ情報のファイルへの出力手段は、印刷出力装置と基本カウンタおよび拡張カウンタの情報をファイルに出力する手段を持つことを特徴とする請求項８に記載の印刷装置管理装置。
【請求項１５】
請求項１〜請求項７のいずれかに記載の印刷装置管理方法の制御を行なうコンピュータ読取可能な制御プログラム。
【請求項１６】
前記請求項１５に記載の制御プログラムをコンピュータ読取可能な形で記録した記憶媒体。
【発明の詳細な説明】
【技術分野】
【０００１】
本発明はデバイス管理システムにおいて、対象デバイスの印刷カウントを取得するための拡張方法に関する。
【背景技術】
【０００２】
従来カウンタを収集する印刷装置管理システムにおいては、印刷上限抑止効果をねらい印刷枚数の取得管理を行なっていた。
【０００３】
例えば、印刷実行時に利用者の部門ごとに総印刷枚数を保持し、印刷出力物にその部門の印刷総枚数を印字するものがある。（特許文献1参照）
【特許文献１】特開２００７−００８００１号公報
【発明の開示】
【発明が解決しようとする課題】
【０００４】
ターゲットデバイスが保持する印刷カウンタの種類は数百におよび、どのカウンタ情報を取得するかは運用形態によって異なる。
【０００５】
デバイス管理システムにおいて、取得を行なうカウンタの種別を指定可能なユーザインタフェースを用意したとしても、全てのカウンタを指定するUIを用意するのは容易ではない。
【０００６】
一方基本的なカウンタはユーザインタフェースから指定可能な手段を用意し、それ以外の拡張カウンタの取得指定においては、外部ファイルでカウンタ種を指定するような手段を用意することが考えられるが、次のような課題がある。
【０００７】
まず外部ファイルにおいて指定可能なカウンタ格納領域を用意した場合、ある一定期間外部ファイルにおいて指定し取得を行なったカウンタ値が、外部ファイルの指定カウンタを変更したタイミングで値とカウンタの対応情報が不明になってしまうという課題がある。
【０００８】
また、外部ファイルを使用して任意のカウンタ種が指定される可能性があるため、あらかじめ指定されるカウンタ種を予想して、そのカウンタ値を表示するためのユーザインタフェースを用意するのは困難であるという課題がある。
【課題を解決するための手段】
【０００９】
本発明では、外部ファイルにおいて取得を行なう拡張カウンタの指定手段を用意し、基本カウンタ値はカウンタの値のみを保持するが、拡張カウンタに対してはカウンタ情報とカウンタ値を対で保存する手段を用意する。基本カウンタはUI上に表示を行なうが、外部ファイルにおいて指定された拡張カウンタ値の取得情報はUI上に表示を行なわず、エクスポートを行なうファイルにのみ、そのカウンタ情報の出力を行なう。
【発明の効果】
【００１０】
外部ファイルの指定カウンタ種を運用後に変更した場合でも、以前のカウンタ種の情報とカウンタ値の情報の整合性を保つ事が可能となる。また、任意の拡張カウンタ種が指定された場合でもUIに影響を与えず、外部指定拡張カウンタの情報を取得する事が可能となる。
【発明を実施するための最良の形態】
【００１１】
次に、本発明の詳細を実施例の記述に従って説明する。
【００１２】
以下、本発明の発明を実施するための最良の形態について図面を用いて説明する。
【００１３】
まず、図1を用いて本発明における基本構成について説明を行なう。図１−１０１は通信物理媒体を表わし、図１−１０２のサーバＰＣと、図１−１０３のターゲットデバイス間での通信パケットが往来する。図１−１０２はデバイス管理システムがインストールされているサーバＰＣを表わす。図１−１０３は図１−１０２サーバＰＣ上のデバイス管理システムによって管理対象となる印刷複合機（ＭＦＰ）を表わし、コピーやプリントなどの出力印刷枚数に関する情報を保持する印刷デバイスである。
【００１４】
図１−１０４は図１−１０２サーバＰＣ上のデバイス管理システムによって管理対象となるシングルファンクションプリンタ（ＳＦＰ）を表わし、プリント出力印刷枚数に関する情報を保持する印刷デバイスである。ここでは説明を簡略化するために、ターゲットデバイスを２台の印刷デバイスとしているが、多数存在していても構わない。
【００１５】
図２は、図1における各機器の主なハードウエアモジュールを表した図である。同図を用いて、各機器のハードウエアモジュールの機能を説明する。同図において、２０１は、ネットワーク媒体である。ネットワーク媒体は、各機器間のネットワークを構成する物理的なラインである。
【００１６】
図１−１０２サーバＰＣを構成するハードウエアモジュールとしては、ネットワークボード２０２、ＣＰＵボード２０３、Ｖｉｄｅｏインタフェイス（Ｖｉｄｅｏ ＩＦ）２０４、Ｉ／Ｏインタフェイス２０５、ＤＩＳＫインタフェイス（ＨＤ ＩＦ）２０６がある。更にそれらに接続されたＣＲＴ２０７、キーボード２０８、マウス２０９、ハードディスクドライブ（ＨＤ）２１０である。ハードディスクドライブ２１０は、複数のハードディスクユニットが並列に接続されており、データ転送の高速化と高信頼性を確保している。なお、このハードディスクユニット２１０には、サーバＰＣ上で動作するソフトウエアの性格等により、データベースを構築していても良い。
【００１７】
次に図１−１０３、および１０４印刷デバイスのハードウエアモジュールに関して説明する。同図において、図１−１０３のＭＦＰの場合、図２−２２１〜図２−２３２によって構成される。以下その構成は、周辺機器に対応したネットワークボード２２１、機能複合型複写機コントローラボード（コントローラボード）２２２、モデム２２３、スキャナユニット２２４、スキャナコントローラ２２５、操作パネルコントローラ２２６、操作パネル２２７。および、ハードディスクコントローラ（ＨＤコントローラ）２２８、ハードディスク（ＨＤ）２２９、プリントエンジン（エンジン）２３０、オプションコントローラ２３１、オプションＩＦ２３２を備えている。
【００１８】
同様に図１−１０４ＳＦＰデバイスのハードウエアモジュールとしては、図２−２１２〜図２−２２０によって構成される。以下その構成は、周辺機器に対応したネットワークボード２１２、プリンタ機能コントローラボード（プリンタコントローラ）２１３、プリントエンジン（エンジン）２１４、 操作パネルコントローラ２１５、操作パネル２１６。および、ハードディスクコントローラ（ＨＤコントローラ）２１７、ハードディスク（ＨＤ）２１８、オプションコントローラ２１９、オプションＩＦ２２０を備えている。
【００１９】
図３は、図１−１０２サーバＰＣにおけるデバイス管理システムのソフトウエアモジュール構成図である。
【００２０】
図３−３０１はデバイス管理アプリケーションプラグラムを表わす。この管理アプリケーションプログラムは、管理対象デバイスのカウンタ情報などを取得するデバイス管理システムである。
【００２１】
図３−３０２は管理対象ターゲットとなる印刷デバイスに関する情報を管理するデバイス管理部である。
【００２２】
図３−３０３は取得すべきカウンタ種の管理を行なう取得カウンタ管理部である。
【００２３】
図３−３０４は、拡張カウンタ種を指定する外部ファイルの情報を取得管理するカウンタ指定ファイル管理部である。
【００２４】
図３−３０５は、管理対象となるターゲットデバイスから、指定されたカウンタ情報の取得を行なうカウンタデータ取得部である。
【００２５】
図３−３０６は、取得を行なったカウンタ情報をファイルに出力を行なう取得カウンタファイル出力部である。図３−３０７は取得を行なったカウンタ情報をＵＩ上に表示を行なう取得カウンタ表示部である。
【００２６】
図３−３０８はＯＳが提供するライブラリ群を表わし、アプリケーションプログラムを構築する際のフレームワーク機能として活用する事も可能なものである。図３−３０９はオペレーティングシステムを表わす。図３−３１０はハードウエアを制御するためのドライバーソフトを表わす。印刷に使用するプリンタドライバーなどもここに含まれる。図３−３１１および図３−３１２はそれぞれハードディスク、ネットワークボードなどの物理媒体を制御するためのソフトウエアコンポーネントを表わす。これらのモジュールによって、図１−１０２のサーバＰＣ上でデバイス管理ソフトウエアが動作するものとする。
【００２７】
図４は基本カウンタを選択するためのユーザインタフェースの例である。基本カウンタ種に関しては、この図から分かるようにあらかじめ決められた種類のカウンタが定義されており、それらのカウンタを選択するためのユーザインタフェースとなる。したがって、この図の例では６種類のカウンタが選択可能なように画面レイアウトが設計されており、カウンタ種の追加やレイアウトの変更を動的に行なうことは容易ではない。図４−４０１はカウンタ値を収集するカウンタ種の選択状態を指定するチェックボックスのコントロールがレイアウトされており、表示されているものからカウンタ種の選択が可能である。なお、ここで必ず取得を行なうカウンタ種に関しては、あらかじめ選択状態にしておき、状態を変更できないようグレー表示にしておく事も可能である。図４−４０２は選択可能なカウンタ種のカウンタ番号を、そのカウンタの簡略化された意味を表示するエリアである。ここでのカウンタ番号およびカウンタの意味はあくまでも一例であり、デバイス管理システムを使用するユーザが、カウンタ選択時に有益な情報を表示すればよい。
【００２８】
次に図５で基本カウンタ格納テーブルの例を示す。本テーブルはデバイス管理システムがアクセス可能な図２−２１０のＨＤなどに代表される外部記憶領域にシステムインストール時に用意され、デバイス管理システムが対象デバイスから取得を行なった基本カウンタ情報を格納するエリアである。テーブルには基本カウンタ格納領域があらかじめ定義してあり、図4において選択されたカウンタ種全てのカウンタ値を格納することが可能である。また、カウンタ取得時に選択されたターゲットデバイスごとの情報を格納可能なテーブル構造となっている。図５−５０１はターゲットデバイス固有の情報を管理するエリアである。具体的な管理情報としては、管理対象機の名称やＭＡＣアドレス等機器固有の情報が格納されるエリアである。図５‐５０２は管理対象機より取得を行なった、基本カウンタに関するカウンタ値を格納するエリアである。
【００２９】
次に図6は、図4のユーザインタフェースからは指定できない拡張カウンタ種を外部ファイルによって指定を行なうファイルの例を表わす図である。ここでは例としてXMLなどのマークアップ記述言語による記述例を示しているが、任意のファイルフォーマットによる記述が可能である。記述ファイルは、デバイス管理システムがアクセス可能な図２−２１０のＨＤなどに代表される外部記憶領域に格納され、デバイス管理システムが対象デバイスからのカウンタ取得タスク実行のタイミングで参照される。
【００３０】
図７は拡張カウンタ格納テーブルの例を表わすものである。本テーブルはデバイス管理システムがアクセス可能な図２−２１０のＨＤなどに代表される外部記憶領域にシステムインストール時に用意され、デバイス管理システムが対象デバイスから取得を行なった拡張カウンタ情報を格納するエリアである。図７−７０１は対象デバイスＤｅｖ１において取得を行なった拡張カウンタ番号を格納するエリアであり、拡張カウンタ番号は図６に示した拡張カウンタを定義するファイルに記述されたカウンタ番号が、カウンタ取得タスク実行時に読み込まれ反映される。図７−７０２は対象デバイスＤｅｖ１における、図７−７０１拡張カウンタ番号に対応するカウンタ値が格納されるエリアである。これらのカウンタ種別番号とカウンタ値の情報が対となり、カウンタ取得タスクでの対象機の数だけ連続して格納されるものである。図７−７０３はカウンタ取得対象機固有の情報である機器名称やＭＡＣアドレス等を格納するエリアである。図７−７０４は管理対象機の拡張指定カウンタに関するカウンタ番号及びカウンタ値をまとめて管理するエリアである。
【００３１】
図８は基本カウンタを表示するユーザインタフェースの例を表わす図である。図８−８０１は、図５−５０１に相当する管理対象機の固有な情報を表示するエリアである。図８−８０２は図５−５０２に相当する、基本カウンタ取得値を表示するエリアである。図８−８０３は取得済みカウンタ値をファイルに出力する指定を行なうボタンであり、このボタンを押下することで、図９に示すような取得カウンタをファイルに出力する事が可能となる。
【００３２】
図９は図８−８０３のボタンを押下する事で、取得済みカウンタの情報をファイルに出力した場合の例を表わす図である。図９−９０１は、図５−５０１および図７−７０３によって管理されている、カウンタ取得管理対象機に関する固有情報をファイル出力した例である。図９−９０２は、図５−５０２に格納されている基本カウンタの取得カウンタ値をファイル出力した例である。図９−９０３は、図７−７０４に格納されている、管理対象機より取得を行なった拡張カウンタに関するカウンタ番号及びカウンタ値をファイル出力した場合の例である。
【００３３】
次に図１０を用いて本実施例におけるカウンタ値情報取得処理の詳細な処理フローに関して説明を行なう。
【００３４】
Ｓ１００１では、図３−３０１デバイス管理アプリケーションにおいて、カウンタ取得タスクの対象デバイスとして選択されたターゲットデバイスの情報を取得する。取得する情報は、ターゲットデバイスの台数、および個別のデバイスを特定する情報である。個別のデバイスを特定する情報としては、デバイスの名称、図１−１０２サーバＰＣが図１−１０３および１０４と通信を行なうためのＩＰアドレスや、ＭＡＣアドレス等の情報となる。取得を行なったターゲットデバイス情報の例を図１１に示す。
【００３５】
Ｓ１００２では、図４に例示すユーザインタフェースを用いて、取得対象として選択を行なった基本カウンタの情報を取得する。取得を行なった基本カウンタ選択状態を管理するテーブルの例を図１２に示す。この例ではカウンタ番号に対して、選択状態を表わす情報が対応付けられており、図４のユーザインタフェースでチェックがついている状態を１、チェックがついていない状態を０として管理を行なうものである。
【００３６】
次にＳ１００３では、図６に示した拡張指定カウンタを定義する外部ファイルの有無の判定を行なう外部指定ファイルの有無、フォーマット不正チェック、拡張指定カウンタの有無の確認を行なう。確認の結果、拡張指定カウンタが指定されている場合にはＳ１００４へ進み、指定されていない場合にはＳ１００６へ進む。
【００３７】
Ｓ１００４では、図６の拡張指定カウンタ定義ファイルから取得を行なった情報を、図１３に示す拡張カウンタ種管理テーブルに格納する。
【００３８】
Ｓ１００５では、拡張カウンタが指定されてことを示すフラグを立て、以降の処理において拡張カウンタが指定されているか否かの判定に利用する。
【００３９】
Ｓ１００６では、現在処理中のターゲットデバイスから全カウンタの情報を取得し、以降の処理で参照するために一時的な領域に格納する。
【００４０】
Ｓ１００７では、Ｓ１００２において取得を行なった図１２の基本カウンタ選択状態を参照し、取得を行なった全カウンタから選択されているカウンタ種のカウンタ値を、図５に示す基本カウンタ格納テーブルに格納する。
【００４１】
Ｓ１００８では、Ｓ１００５においてセットされた拡張カウンタ指定フラグを参照し、フラグがオンの場合はＳ１００９へ進み、フラグがオフの場合はＳ１０１０へ進む。
【００４２】
Ｓ１００９では、Ｓ１００５において取得を行なった全カウンタ値の情報を参照し、更にＳ１００４において取得を行なった図１３の拡張カウンタ種管理テーブルに合致するカウンタ種が含まれているか確認する。確認の結果カウンタ値がＳ１００５において取得したカウンタ値に含まれている場合は、図７の拡張指定カウンタ格納テーブルに、カウンタ番号とカウンタ値のペアで情報を格納し、Ｓ１０１０へ進む。
【００４３】
Ｓ１０１０では、Ｓ１００１において取得を行なったターゲットデバイス情報に含まれる全てのデバイスに関して上記の処理を実施したかどうかの判定を行なう。判定の結果、全てのデバイスにおいて実施していない場合はＳ１００６から上述の処理を繰り返し、全てのデバイスに関して上述の処理を実施した場合は、本カウンタ取得タスクの処理を終了する。
【００４４】
次に図１４を用いて、取得済みカウンタ値の表示及びファイル出力時の処理フローの説明を行なう。
【００４５】
図３−３０１デバイス管理アプリケーションにおいて、カウンタ情報取得タスクにより収集を行なったカウンタ情報の表示を行なうユーザオペレーションを実行する。例えばメニューからカウンタ情報の表示などが選択された場合に、Ｓ１４０１に処理が移り、以降のステップを実行するための準備を行なう。以降の処理において表示を行なう画面の例は、図８に示したと通りであり、図８−８０１のターゲットデバイスに関する情報、図８−８０２基本カウンタに関する情報を表示する。
【００４６】
なお、ユーザによるカウンタ情報表示要求は、カウンタ取得タスク単位で選択され、タスクごとにターゲットデバイスが異なり、選択されたカウンタ種別もタスクごとに異なっていても良い。これらの関連付け情報は図１５に示すような形となる。
【００４７】
先ず図１５−１５０１はカウンタ取得タスクを識別するタスク名称、タスク実行日時などの情報が管理されているエリアである。
【００４８】
図５−１５０２は、カウンタ取得タスク毎に対象デバイスとなった選択されたデバイスの情報が格納されているテーブルへのポインタ情報が格納されている。ポインタが指し示しているテーブルの実体は、図１１に示したカウンタ取得タスクにおけるターゲットデバイス情報テーブルである。
【００４９】
図５−１５０３は、カウンタ取得タスク毎に取得された基本カウンタの情報が格納されているテーブルへのポインタ情報が格納されている。ポインタが指し示しているテーブルの実体は、図５に示した基本カウンタ格納テーブルである。
図５−１５０４は、カウンタ取得タスク毎に取得された拡張カウンタの情報が格納されているテーブルへのポインタ情報が格納されている。ポインタが指し示しているテーブルの実体は、図７に示した拡張指定カウンタ格納テーブルである。
【００５０】
次にＳ１４０２では、図８−８０１の部分を表示するために必要なターゲットデバイスに関する情報を取得する。具体的には図５−５０１の基本カウンタのターゲットデバイスを特定する情報を参照し、図１１のテーブルからターゲットデバイスの詳細な情報を取得し、以降のステップにおいて参照可能な図２−２０３に示したＲＡＭなどの記憶領域に格納する。
【００５１】
Ｓ１４０３では図５に示した基本カウンタ格納テーブルより、基本カウンタのカウンタ値に関する情報を取得し、以降のステップにおいて参照可能な図２−２０３に示したＲＡＭなどの記憶領域に格納する。
【００５２】
Ｓ１４０４では、上述のＳ１４０２およびＳ１４０３のステップにおいて取得を行なった情報を用いて、図８に示したような画面にターゲットデバイスの情報および基本カウンタの値を表示する。
【００５３】
Ｓ１４０５では、図８−８０１に示した取得を行なったカウンタの情報をファイルに出力するための指示を行なうＥｘｐｏｒｔボタンが押下されたか否かの判定を行ない、押下された場合はＳ１４０８へ進み、押下されていない場合はＳ１４０６へ進む。
【００５４】
Ｓ１４０８では、カウンタ情報のファイル出力がユーザによって指示されているため、Ｓ１４０２およびＳ１４０３において取得を行なった、ターゲットデバイスの情報および基本カウンタの情報を指定されたファイルに出力を行ない、Ｓ１４０９へ進む。なお、本ステップに置いてファイル出力処理を実行する前に、一般的なファイル指定を行なうダイアログボックスのようなユーザインタフェースによって、出力を行なうファイルの名称やフォルダなどの情報は確定しているものとする。
【００５５】
次にＳ１４０９では、Ｓ１４０２において取得を行なったターゲットデバイスの情報を元に、図７−７０３の領域を参照し、図７−７０４の拡張カウンタに関する、カウンタ番号およびカウンタ値の情報を取得し、Ｓ１４１０へ進む。
【００５６】
次にＳ１４１０で、Ｓ１４０９において取得を行なった拡張カウンタ値および拡張カウンタ番号の情報を、Ｓ１４０８において確定した出力ファイルに書き出し、Ｓ１４０４へ進む。上記Ｓ１４０８〜Ｓ１４１０において出力を行なったファイルを表示した例が図９である。ファイルフォーマットはＣＳＶファイルフォーマットであり、ＭＳ−Ｅｘｃｅｌにより表示を行なった例である。
【００５７】
Ｓ１４０５においてＥｘｐｏｒｔボタンが押下されていない場合には、Ｓ１４０６へ進み、図８の画面表示を更新する必要があるか否かの判定を行なう。表示の更新が必要な場合にはＳ１４０４へ進み、上述のステップを繰り返し、表示更新の必要が無い場合はＳ１４０７へ進む。
【００５８】
Ｓ１４０７では、図８の画面表示が終了か否かの判定を行ない、表示終了で無い場合はＳ１４０５へ戻り、上述の処理を繰り返し、表示終了の場合は本フローの処理を終了する。
【図面の簡単な説明】
【００５９】
【図１】本発明が動作する印刷出力装置管理システムの構成を表わす概念図である。
【図２】ハードウエア構成を表わす図である。
【図３】サーバＰＣにおけるデバイス管理システムのモジュール構成を表わす図である。
【図４】基本カウンタの選択を行なうユーザインタフェースの例を表わす図である。
【図５】基本カウンタ格納テーブルの例を表わす図である。
【図６】拡張指定カウンタを定義するファイル構造の例を表わす図である。
【図７】拡張指定カウンタ格納テーブルの例を表わす図である。
【図８】取得済み基本カウンタを表示するユーザインタフェースの例を表わす図である。
【図９】取得済みカウンタをファイル出力した場合の例を表わす図である。
【図１０】本実施例におけるカウンタ値情報取得処理の詳細な処理フローを表わす図である。
【図１１】カウンタ取得タスクにおけるターゲットデバイス情報管理テーブルの例を表わす図である。
【図１２】基本カウンタの選択状態を管理するテーブルの例を表わす図である。
【図１３】拡張カウンタ種管理するテーブルの例を表わす図である。
【図１４】取得済みカウンタ値の表示及びファイル出力時の処理フローを表わす図である。
【図１５】カウンタ取得タスク実行結果関連付け情報テーブルの例を表わす図である。
【図１】
2010004270.tif 000003
【図２】
2010004270.tif 000004
【図３】
2010004270.tif 000005
【図４】
2010004270.tif 000006
【図５】
2010004270.tif 000007
【図６】
2010004270.tif 000008
【図７】
2010004270.tif 000009
【図８】
2010004270.tif 000010
【図９】
2010004270.tif 000011
【図１０】
2010004270.tif 000012
【図１１】
2010004270.tif 000013
【図１２】
2010004270.tif 000014
【図１３】
2010004270.tif 000015
【図１４】
2010004270.tif 000016
【図１５】
2010004270.tif 000017